(57)【要約】【課題】  従来（図５）のキーホルダーでは、カバー体からキーを出し入れする操作が面倒であるとともに、キーが必要なときにキーホルダーをどこに入れたか捜すのに時間がかかることがあった。【解決手段】  長方形で薄板状の基材１の表面に、該基材１の長手方向に向けてキーＫを収容し得る複数個のキーポケット２を設ける一方、基材１の裏面に、該基材１を腰ベルトや衣服に装着するための止め具３を設けていることにより、キーホルダーを身体の定位置に装着した状態で使用できるのでキーホルダーをどこに入れているのが捜す必要がなく、しかもキーＫの出し入れが個別のキーポケット２に対して引き抜き操作又は差し込み操作で行えるのでそのキー出し入れ作業を簡単に行えるようにしている。【選択図】      図１
2007097793.tif 000002
【特許請求の範囲】
【請求項１】
長方形で薄板状の基材（１）の表面に、該基材（１）の長手方向に向けてキー（Ｋ）を収容し得る複数個のキーポケット（２，２，２）を設ける一方、前記基材（１）の裏面に、該基材（１）を腰ベルトや衣服に装着するための止め具（３）を設けていることを特徴とするキーホルダー。
【請求項２】
請求項１において、各キーポケット（２，２，２）の出し入れ口（２４，２４，２４）をキーポケット形成方向に対して斜めに形成していることを特徴とするキーホルダー。
【請求項３】
請求項１又は２において、基材（１）の表面に、キー（Ｋ）を結ぶ糸（４２）を引き出し自在に巻き取ったリール（４）を設けていることを特徴とするキーホルダー。
【請求項４】
請求項３において、リール（４）の糸（４２）の先端部にキー（Ｋ）を係脱自在に連係できる連係具（４３）を設けていることを特徴とするキーホルダー。
【発明の詳細な説明】
【技術分野】
【０００１】
本願発明は、複数個のキーをまとめて保持することができるキーホルダーに関するものである。
【背景技術】
【０００２】
人は一般に複数個のキー（例えば自宅玄関のキー、事務所のキー、自動車やオートバイのキー、等）を持っており、外出時にはそれら複数個のキーを１つのキーホルダーにまとめて携行する場合が多い。
【０００３】
ところで、図５には、従来から使用されている一般的なキーホルダーを示しているが、この従来のキーホルダーＸは、左右に折返し片１０２，１０３を有する開閉自在なカバー体１０１内にキー取付台１０６を設け、該キー取付台１０６にキーＫを連係し得る複数個（図示例では３個）の連係具１０７，１０７，１０７を取付けている。各折返し片１０２，１０３には、ホック１０４，１０５が取付けられている。
【０００４】
そして、このキーホルダーＸは、各連係具１０７，１０７，１０７にそれぞれキーＫを１個ずつ連係して使用されるが、キーの不使用時には、全部（３個）のキーＫをカバー体１０１側に位置させ、各折返し片１０２，１０３を鎖線図示（符号１０２′，１０３′）するように折畳んでホック止めすることにより、各キーＫをカバー体１０１内にコンパクトに収納できる一方、キーの使用時には、必要なキーＫのみをカバー体１０１から取り出して使用できる。
【発明の開示】
【発明が解決しようとする課題】
【０００５】
ところが、図５に示す従来のキーホルダーでは、必要なキーＫをカバー体１０１から出し入れする度に、ホック１０４，１０５の離脱・嵌合操作と各折返し片１０２，１０３の開閉操作を行わなければならず、キーの出し入れ操作が面倒であった。
【０００６】
又、この従来例のキーホルダーは、衣服のポケットやバッグに入れて携行するが、キーが必要なときに、キーホルダーをどこに入れたか捜すのに時間がかかることがあった。
【０００７】
そこで、本願発明は、上記した従来のキーホルダーの問題点に鑑み、キーの出し入れが極めて簡単であり、且つ装着場所を特定できる（捜す手間が不要となる）ようにしたキーホルダーを提供することを主たる目的としてなされたものである。
【課題を解決するための手段】
【０００８】
本願発明は、上記課題を解決するための手段として次の構成を有している。尚、本願発明は、複数個のキーをまとめて保持し得るようにしたキーホルダーを対象にしている。
【０００９】
本願請求項１の発明
本願請求項１の発明のキーホルダーは、長方形で薄板状の基材の表面に、該基材の長手方向に向けてキーを収容し得る複数個のキーポケットを設ける一方、基材の裏面に、該基材を腰ベルトや衣服に装着するための止め具を設けて構成されている。
【００１０】
この請求項１のキーホルダーに使用される基材の大きさは、特に限定するものではないが、例えば４〜５cm×１２〜１３cm程度の矩形面積を有し、厚さが１〜２mm程度のものが好ましい。又、この基材の材質は、特に限定する必要はないが、適度の可撓性を有していることが好ましい。
【００１１】
キーポケットの数は、２〜４個程度が適当である。そして、この各キーポケットは、それぞれ基材長手方向に向けた状態でそれぞれ基材の表面に取付けている。この各キーポケットは、基材長手方向と平行でもよいが、基材長手方向に対して若干（例えば角度１０°程度）傾斜させて取付けてもよい。尚、その場合、キーポケットの出し入れ口が上位側に位置するようにして使用される。
【００１２】
又、この各キーポケットは、キーの持ち手となる大形部の一部がキーポケット出し入れ口からはみ出す状態で収納し得るようにすると、キーの収納状態が安定するとともに、キー取り出し時にキーのはみ出し部分を摘まみ易くなる。尚、このキーポケットに収納されたキーは、キーポケット内面との摩擦力によって比較的強固に保持されていて、不用意に抜け落ちることがない。
【００１３】
止め具としては、このキーホルダーを腰ベルトに装着する場合には腰ベルト挿通リング（２箇所）が使用可能であり、又このキーホルダーを衣服に装着する場合には面ファスナーやホック等が使用可能である。
【００１４】
この請求項１のキーホルダーは、止め具により腰ベルトや衣服等の特定位置に装着されるが、キーホルダーの装着状態では腰ベルトや衣服から脱落することがない。尚、このキーホルダーは、各キーポケットの出し入れ口が下向きにならないようにして装着される。複数個のキーは、それぞれキーポケットに差し込まれるが、キー収納操作はキーの先側からキーポケット内に押し込めばよい。
【００１５】
キーホルダーに収納しているキーを使用する場合には、必要とするキーの持ち手部分を摘まんでキーポケットから抜き出せばよい。尚、複数個のキーをそれぞれ各キーポケットに収納する場合には、どのキーを何番目のキーポケットに収納するかを決めておけば、必要なキーを手探りでも捜し出すことができる。
【００１６】
本願請求項２の発明
本願請求項２の発明は、上記請求項１のキーホルダーにおいて、各キーポケットの出し入れ口をキーポケット形成方向に対して斜めに形成している。
【００１７】
この請求項２のように、キーポケットの出し入れ口を斜めに形成しておくと、出し入れ口の開口幅が大きく取れるとともにキーの差し込みが容易に行える。
【００１８】
本願請求項３の発明
本願請求項３の発明は、上記請求項１又は２のキーホルダーにおいて、基材の表面に、キーを結ぶ糸を引き出し自在に巻き取ったリールを設けている。
【００１９】
このリールは、各キーポケットの数だけ設けることが好ましいが、特定のキー（例えば自宅玄関のキーや事務所のキー等）についてのみに使用してもよい。又、リールから引き出される糸の長さは、例えば３５〜４０cm程度でよい。尚、このリールは、自動巻取りができるものである。
【００２０】
そして、リールから引き出される糸の先端部をキーに結んだ状態で、該キーをキーポケットに収納する。
【００２１】
この請求項３のリール付きのキーホルダーでは、身体に装着した状態で、もしキーがキーポケットから抜け出しても、そのキーが糸で結ばれているので落下（紛失）することがない。そして、使用時には、糸付きのキーをキーポケットから抜き出すが、キーを抜くとキーの移動分だけ糸がリールから引き出されるので、該キーを自由に扱える。尚、キーを使用した後、そのキーをキーホルダーに近付けると、余分な糸がリールに自動で巻き取られるので、糸が絡んだり邪魔になることがない。
【００２２】
本願請求項４の発明
本願請求項４の発明は、上記請求項３のリール付きキーホルダーにおいて、リールの糸の先端部にキーを係脱自在に連係できる連係具を設けている。
【００２３】
この連係具は、ワンタッチ式にキーを係脱し得るものが好ましい。
【００２４】
この請求項４のキーホルダーでは、例えば自動車やオートバイのキーのように、糸を付けたままでは不都合なものに適したものである。そして、その糸付きのキーを使用する場合には、キーをキーポケットから抜き出して、糸先端部の連係具をキーから外せば、該キーを分離できる。尚、その分離したキーをキーホルダーに収納する場合には、連係具でキーを連係した後に該キーをキーポケットに差し込めばよい。
【発明の効果】
【００２５】
本願請求項１の発明の効果
本願請求項１の発明のキーホルダーでは、基材の表面に複数個のキーポケットを設ける一方、基材の裏面に腰ベルトや衣服に装着するための止め具を設けている。
【００２６】
従って、このキーホルダーを身体の定位置に装着した状態で使用できるので、キーホルダーをどこに入れているのが捜す必要がない。又、キーの出し入れは、個別のキーポケットに対して引き抜き操作又は差し込み操作で行えるので、そのキー出し入れ作業が簡単である。さらに、どのキーを何番目のキーポケットに収納するかを決めておけば、必要なキーを手探りでも捜し出すことができ、暗い場所ても間違いなく必要なキーを取り出すことができるという効果がある。
【００２７】
本願請求項２の発明の効果
本願請求項２の発明のキーホルダーでは、各キーポケットの出し入れ口をキーポケット形成方向に対して斜めに形成している。
【００２８】
従って、この請求項２のキーホルダーには、上記請求項１の効果に加えて、キーポケットの出し入れ口の開口幅が大きく取れるので、キーの差し込み及び引き抜き操作が容易に行えるという効果がある。
【００２９】
本願請求項３の発明の効果
本願請求項３の発明のキーホルダーでは、基材の表面にキーを結ぶ糸を引き出し自在に巻き取ったリールを設けている。そして、リールから引き出される糸の先端部をキーに結んでおけば、もしキーがキーポケットから抜け出しても、そのキーが糸で結ばれているので落下することがない。
【００３０】
従って、この請求項３のキーホルダーには、上記請求項１又は２の効果に加えて、キーをキーポケットに収納するものであっても、該キーを紛失することがなくなるという効果がある。
【００３１】
本願請求項４の発明の効果
本願請求項４の発明は、リールの糸の先端部にキーを係脱自在に連係できる連係具を設けている。
【００３２】
そして、糸付きのキーを使用する場合には、キーをキーポケットから抜き出して、糸先端部の連係具をキーから外せば、該キーを分離できる。
【００３３】
従って、この請求項４のキーホルダーには、上記請求項３の効果に加えて、糸付きのキーであっても、その使用時にキーを糸から分離させることで支障なく使用できるという効果がある。
【実施例】
【００３４】
図１〜図４を参照して本願実施例のキーホルダーを説明すると、この実施例のキーホルダーは、腰ベルトＢに装着して使用するものである。
【００３５】
そして、この実施例のキーホルダーＹは、長方形で薄板状の基材１の表面に、複数個（図示例では３個）のキーポケット２，２，２と、該キーポケット２，２，２と同数（３個）のリール４，４，４を設ける一方、基材１の裏面に腰ベルトＢに装着するための止め具３，３を取付けて構成している。
【００３６】
基材１の大きさは、例えば４〜５cm×１２〜１３cm程度の矩形面積を有し、厚さが１〜２mm程度のものが好ましい。又、この基材１は、例えばゴムや皮革（合成皮革も含む）や軟質プラスチック等の材料製で、適度の可撓性を有しているものが好ましい。即ち、基材１は、図２又は図３に鎖線図示（符号１′）するように、人の腰回りの形状に合わせて湾曲させ得るようにするとよい。
【００３７】
各キーポケット２，２，２は、それぞれキーＫの全長をほぼ過不足なく収納し得る大きさの細長い形状に形成されている。このキーポケット２は、比較的厚手の布地や皮革（合成皮革も含む）等の材料で形成できる。そして、各キーポケット２，２，２は、図１〜図３に示すように、基材１の表面に対して、基材１の長手方向に向け且つ順次適宜長さずつずらせた１列重合状態で取付けている。この各キーポケット２，２，２は、それぞれ上下両側辺部２１，２２と底辺部２３の三辺の縁部をそれぞれ基材１の表面に固着して、一方に出し入れ口２４を有したポケット部を形成している。各キーポケット２の基材１に対する固着方法としては、ミシン縫いや接着剤による接着や熱溶着等の適宜の方法を採用できる。
【００３８】
この各キーポケット２，２，２は、基材長手方向に対して出し入れ口２４が上側となる角度１０°程度傾斜させた状態で取付けている。又、各キーポケット２，２，２の出し入れ口２４，２４，２４は、それぞれキーポケット形成方向に対して斜めに開口させている。即ち、この実施例では、各出し入れ口２４，２４，２４は、基材長手方向に対して角度３０°の傾斜状態となっている。
【００３９】
基材裏面の止め具３，３としては、この実施例では、基材長手方向の両端寄りの２位置において、腰ベルトＢを挿通し得るリング状のものを取付けている。尚、他の実施例では、このキーホルダーＹを衣服（例えば背広上着の前面部裏側）に装着して携行するようにできるが、その場合は、止め具３として面ファスナーやホックを使用できる。
【００４０】
又、基材１の表面には、キーポケット形成位置の下方空所に３個のリール４，４，４が取付けられている。この各リール４，４，４は、リールケース４１内にリール糸４２を引き出し自在に巻付けたものである。このリールケース４１内に巻付けたリール糸４２の長さは、３５〜４０cm程度でよい。尚、この各リール４，４，４は、リールケース４１に内蔵したバネによって自動巻取りができるものである。
【００４１】
各リール４，４，４の糸４２，４２，４２の先端部には、それぞれワンタッチ式の連係具４３，４３，４３が取付けられていて、各連係具４３，４３，４３にそれぞれキーＫ，Ｋ，Ｋが係脱自在に連係される。各連係具４３，４３，４３は、図４に示すようにフック状のもので、通常は板バネ４３ａによって係入口が閉塞されているが、該板バネ４３ａを鎖線図示（符号４３ａ′）するように内方に押し込むことにより係入口を開放させ得るようになっている。そして、この連係具４３は、板バネ４３ａ部分を内方に押し込んで係入口を開放させることで、フック先端部分をキーＫの穴Ｋａに挿通させたり、又はフック部分をキーＫの穴Ｋａから外したりすることができる。尚、キーＫの穴Ｋａにリングを取付けたものでは、該リングを連係具４３に係止してキーＫをリール糸４２に連係させる。
【００４２】
尚、この実施例のキーホルダーＹは、身体の左側に装着するものであるが、身体の右側に装着する場合には、各キーポケット２，２，２、各リール４，４，４、各止め具３，３をそれぞれ基材１の表裏逆側に取付けたり、あるいは基材１に対して各キーポケット２，２，２の向きを前後逆向きに取付ける。
【００４３】
この実施例のキーホルダーＹは、次のようにして使用される。まず、携行する各キーＫ，Ｋ，Ｋは、図１に鎖線図示（符号Ｋ′）するように、予め各連係具４３′，４３′，４３′で係止してそれぞれリール糸４２′，４２′，４２′に連係させ、該各キーを実線図示するようにそれぞれ所定のキーポケット２，２，２内に収納しておく。尚、キー収納操作は、キーＫをその先側からキーポケット２内に押し込めばよい。キーＫ，Ｋ，Ｋの収納状態では、キーの持ち手となる大形部の一部がキーポケット出し入れ口２４からはみ出す状態で収納される。尚、キーＫをキーポケット２内に収納した状態では、摩擦力によってキーＫが不用意に抜け出さないようになっている。
【００４４】
キーの収納状態では、余分なリール糸４２はリールケース４１内に巻き取られているので、該リール糸４２に物が引っ掛かることがない。又、キー収納の際に、どのキーＫ，Ｋ，Ｋ（例えば自宅玄関のキー、事務所のキー、自動車やオートバイのキー）を何番目のキーポケット２，２，２に収納するかを決めておくとよい。
【００４５】
そして、このキー付きキーホルダーＹは、基材裏面の各止め具３，３にズボンの腰ベルトＢを通して身体に装着する。このとき、該キーホルダーＹは、図１に示すように各キーポケット２，２，２の出し入れ口２４が上向きに開口するようにして腰ベルトＢに取付ける。
【００４６】
必要なキーを取り出す際に、どのキーが何番目のキーポケットに収納されているかを覚えておけば、必要なキーを手探りでも捜し出すことができる。そして、必要とするキーＫの持ち手部分を摘まんでキーポケット２から抜き出せばよい。このとき、リール糸４２がリールケース４１から引き出されるが、使用するキーが自宅玄関のキーや事務所のキーでは、リール糸４２を繋いだままでキーを鍵穴に差し込むことができる。キーの使用後は、そのキーを元のキーポケット２内に差し込んで収納すればよい。他方、使用するキーが自動車やオートバイのキーでは、図４に示すように、キーＫをキーポケット２から引き出した後、連係具４３の板バネ４３ａを押し下げて（符号４３ａ′）、キーＫを連係具４３から外して使用する。尚、引き出したリール糸４２は、引っ張り力を解除（指を離す）すれば自動的に巻き取られる。又、連係具４３から外したキーＫの使用が終われば、元の連係具４３を引き出してそこにキーＫを連係し、キーポケット２に収納すればよい。
【００４７】
上記実施例のキーホルダーＹでは、次のような多くの機能を有している。
【００４８】
(1) キーホルダーＹを身体の定位置（この実施例ではズボンの腰ベルトＢ）に装着した状態で使用できるので、キーホルダーをどこに入れているのが捜す必要がない。
【００４９】
(2) キーＫの出し入れは、個別のキーポケット２に対して引き抜き操作又は差し込み操作で行えるので、そのキー出し入れ作業が簡単である。
【００５０】
(3) どのキーＫを何番目のキーポケット２に収納するかを決めておけば、必要なキーＫを手探りでも捜し出すことができ、暗い場所ても間違いなく必要なキーＫを取り出すことができる。
【００５１】
(4) 各キーポケット２の出し入れ口２４をキーポケット形成方向に対して斜めに形成しているので、キーポケット２の出し入れ口２４の開口幅が大きく取れ、キーＫの差し込み及び引き抜き操作が容易に行える。
【００５２】
(5) 各キーＫがリール４から引き出される糸４２の先端部に連係されているので、もしキーＫがキーポケット２から抜け出しても、そのキーが落下（紛失）することがない。
【００５３】
(6) リール糸４２は、リールケース４１から引き出すことができるので、キーの種類（例えば自宅玄関のキー）によっては該キーをリール糸４２に繋いだまま使用できる。
【００５４】
(7) 各キーＫは、リール糸４２の先端部に取付けた連係具４３で係脱自在に連係されているので、糸付きのキーであっても、その使用時にキーＫをリール糸４２から分離させることで支障なく使用できる。
【図面の簡単な説明】
【００５５】
【図１】本願実施例のキーホルダーの正面図である。
【図２】図１のキーホルダーの拡大平面図である。
【図３】図３のIII−III拡大断面図である。
【図４】図１のキーホルダーの一部拡大斜視図である。
【図５】従来のキーホルダーの斜視図である。
【符号の説明】
【００５６】
１は基材、２はキーポケット、３は止め具、４はリール、２４は出し入れ口、４１はリールケース、４２はリール糸、４３は連係具、Ｂは腰ベルト、Ｋはキーである。
【図１】
2007097793.tif 000003
【図２】
2007097793.tif 000004
【図３】
2007097793.tif 000005
【図４】
2007097793.tif 000006
【図５】
2007097793.tif 000007